(57)【要約】【課題】  電気抵抗オーム値を調節して落雷および磁場の干渉を防止する電器設備のアース装置を提供する。【解決手段】  同軸ケーブル１を埋め込んだ端部の銅線が導電棒１３まで伸び、導電棒１３の外周は密閉式銅製カバー箱２が覆う。絶縁ユニット２２によって導電棒１３を銅製カバー箱内２に固定し、銅製カバー箱２に接触しない状態を保ち、銅製カバー箱２内の空間には電気媒介物質３を充填する。アース電流は、同軸ケーブル１によって地面から地下へ引き込まれ、導電棒１３から銅製カバー箱２内へ導かれ、銅製カバー箱２の内部の電気媒介物質層３が銅製カバー箱２へ導き、そして大地へ送られる。銅製カバー箱２は密封されて磁場から遮られているため、内部の導電棒１３は箱外の磁場の干渉を受けることがない。【選択図】    図１
0003107209.tif 000002
【実用新案登録請求の範囲】
【請求項１】
同軸ケーブルを埋め込んだ端部の銅線が導電棒まで伸び、導電棒の外周は密閉式銅製カバー箱が覆う電器設備のアース装置において、
絶縁ユニットによって導電棒を銅製カバー箱内に固定し、銅製カバー箱に接触しない状態を保ち、銅製カバー箱内の空間には電気媒介物質が充填されていることを特徴とする電器設備のアース装置。
【請求項２】
前記銅製カバー箱は、最上面位置に導電棒を入れる差込口が成形され、差込口と導電棒の交わる箇所には絶縁ユニットが設置されることを特徴とする請求項１記載の電器設備のアース装置。
【請求項３】
前記銅製カバー箱は、内部に絶縁固定フレームが設置され、そこに固定孔が成形されることを特徴とする請求項１記載の電器設備のアース装置。
【請求項４】
前記銅製カバー箱は、最上面に充填口が設置されることを特徴とする請求項１記載の電器設備のアース装置。
【請求項５】
前記銅製カバー箱は、垂直面上に折畳部が成形されることを特徴とする請求項１記載の電器設備のアース装置。
【請求項６】
前記導電棒は、同軸ケーブル端部の裸線が直接伸びたものであることを特徴とする請求項１記載の電器設備のアース装置。
【請求項７】
前記導電棒は、外部に銅管を被せることを特徴とする請求項６記載の電器設備のアース装置。
【請求項８】
前記導電棒は、同軸ケーブル端部の銅線溶接から銅製導電棒へ伸びることを特徴とする請求項１記載の電器設備のアース装置。
【考案の詳細な説明】
【技術分野】
【０００１】
本考案は、電器設備のアース装置に関するものであり、電気抵抗オーム値を調節して落雷および磁場の干渉を防止するものである。
【背景技術】
【０００２】
今日、一般的に使用されている電器設備のアース設備は、どれも単純な金属アース棒形式である。そのため、アース抵抗値が設置地点の土壌の土質と異なると、施工方式を変更しなければならない。施工時のアース抵抗が要求に応えられない場合、通常、数本のアース棒に分ける抵抗分担方式にして抵抗を下げなければならない。しかし、この種のアース棒は、設置および使用上、下述の問題がある。
【０００３】
先ず、数組のアース装置および設置費用を支払わなければならず、アース設置のコストが増える。
また、シールド装置を備えていないため、複数のアース棒の相互間磁場干渉を避けるため、距離不足にならないように広い場所を設置箇所に選ばなければならない。
更に防護装置を備えていないため、アース棒付近で落雷があった場合、アースがうまく働かないと、還流現象を起こしやすく、設備を破壊する危険もある。
【考案の開示】
【考案が解決しようとする課題】
【０００４】
解決しようとする問題点は、広い場所が必要な上に、シールド装置および防護装置を備えていない点である。
【課題を解決するための手段】
【０００５】
本考案は、同軸ケーブルの埋め込み後端部を延ばして導電棒を形成し、その外周は密閉式銅製カバー箱で覆い、絶縁固定フレームで導電棒を銅製カバー箱内に固定する。導電棒が銅製カバー箱に接触しないようにファラデーの籠に類似した装置を形成する。そして、希望するオーム値に足りるだけの電気媒介物質を銅製カバー箱内に入れ、電気媒介物質層を形成することを最も主要な特徴とする。
本考案の電器設備のアース装置は、電気抵抗オーム値を調節して落雷および磁場の干渉を防止するという利点がある。
【考案を実施するための最良の形態】
【０００６】
本考案は、必要な電気抵抗値を充たすアース設備を設置し、アース設備設置のコストを有効に節約するという目的を実現する。
また、本考案は、シールドおよび防護設備を備え、別のアース棒間に発生する磁場干渉および落雷の発生が起こす電気還流に依る設備の損害を有効に避けるという目的を実現する。
【０００７】
(実施例１）
図１では、同軸ケーブル１の地面に入れる端部からシールド層１１および絶縁層１２を剥がす。そして、裸になった銅線が導電棒１３を形成する。この導電棒１３の外側は密封式の銅製カバー箱２で覆われ、銅製カバー箱２の最上面には差込口２１および充填口２４が成形される。そのうち、差込口２１の内縁には絶縁ユニット２２が設置される。銅製カバー箱２の内部には絶縁固定フレーム２３が備えられ、絶縁固定フレーム２３には固定孔２３１が成形される(図２参照)。その間の空間には予め電気媒介物質が充填されて電気媒介物質層３を形成する。
【０００８】
アース設備を使用する時、導電棒１３は、銅製カバー箱２の最上面の差込口２１から内部へ入れられ、絶縁固定フレーム２３の固定孔２３１に固定される。同時に、同軸ケーブル１のシールド層１１と銅製カバー箱２の外部とは緊密に接合される(一般的な電気技術であるため、詳述しない)。続いて、必要な抵抗値を得るため、充填口２４から異なる比例の炭粉、火山粘土もしくは性質の近い物質を混合し、電器設備に必要なアース抵抗を具える電気媒介物質層３を形成する。最後に、充填口２４を密封して銅製カバー箱２を密封状態にする。
【０００９】
アース電流は、同軸ケーブル１によって地面から地下へ引き込まれ、導電棒１３から銅製カバー箱２内へ導かれ、銅製カバー箱２の内部の電気媒介物質層３が銅製カバー箱２へ導き、そして大地へ送られる。
【００１０】
本実施例を設置する付近が磁場の強い場所の場合でも、銅製カバー箱２は密封されて磁場から遮られているため、内部の導電棒１３は箱外の磁場の干渉を受けることがない。また、銅製カバー箱２内の導電棒１３の電圧が封鎖されている状態であるため、落雷による還流を起こすことがない。
【００１１】
密封後の銅製カバー箱２は電気媒介物質３によって電気抵抗するので、発熱により内部の空気が膨張し、銅製カバー箱２が変形する可能性もある。そのため、銅製カバー箱２の垂直面上に折畳部２５を成形し(図３参照)、前述の膨張および土壌からの圧迫に対応する。
【００１２】
同軸ケーブル１の端部の裸線が延びた導電棒１３は、銅製カバー箱２が長すぎる場合、湾曲現象が起こる可能性がある。導電棒１３が決して銅製カバー箱２と接触しないことを保障するため、他に二種の導電棒１３直立設計を提案する。
【００１３】
(実施例２）
図４に示すのは、埋め込みする同軸ケーブル１の裸銅線の部分に銅管１３１を被せ、その全体を導電棒１３とする。
【００１４】
（実施例３）
図５に示すとおり、埋め込みする同軸ケーブル１端部の銅線溶接１３２を銅製導電棒１３まで伸ばす。これらの構造によって、導電棒１３が湾曲するのを防止する。
【図面の簡単な説明】
【００１５】
【図１】本考案の実施例１による電器設備のアース装置を示す断面図である。
【図２】本考案の実施例１による電器設備のアース装置の絶縁固定フレームを示す平面図である。
【図３】本考案の実施例１による電器設備のアース装置の銅製カバー箱折畳部を示す断面図である。
【図４】本考案の実施例２による電器設備のアース装置を示す断面図である。
【図５】本考案の実施例３による電器設備のアース装置を示す断面図である。
【符号の説明】
【００１６】
２  銅製カバー箱、３  電気媒介物質、１１  シールド層、１２  絶縁層、１３  導電棒、２１  差込口、２２  絶縁ユニット、２３  絶縁固定フレーム、２４  充填口、２５  折畳部、１３１  銅管、１３２  溶接、２３１  固定孔
【図１】
0003107209.tif 000003
【図２】
0003107209.tif 000004
【図３】
0003107209.tif 000005
【図４】
0003107209.tif 000006
【図５】
0003107209.tif 000007